(57)【特許請求の範囲】
【請求項１】
吐出ヘッドを取着したキャップで被嵌された液吐出容器であって、
吐出ヘッドが、操作筒部と吐出ノズルとからなり、
操作筒部は、容易に変形可能な薄肉部と、該薄肉部を変形させる押ボタンとを具備しており、
吐出ノズルは、操作筒部に連設されたノズル支持筒に取着され、吐出口と該吐出口を開閉する密封部材を設けたヒンジ式ノズルキッャプとを具備していることを特徴とする液吐出容器。
【請求項２】
ノズル支持筒が操作筒部の頂壁に立設され、
吐出ノズルが、ノズル筒と、吐出口を設けた隔壁と、その上部に連設された吐出筒とを具備していることを特徴とする請求項１記載の液吐出容器。
【請求項３】
吐出ヘッドが、操作筒部の頂壁に連設され、外周にねじを螺設したノズル支持筒と、該ノズル支持筒に取着される吐出ノズルとからなり、
吐出ノズルは、吐出口を形成した頂壁と内周にねじを設けた側周壁を具えており、
吐出ノズル側周壁にヒンジ式のノズルキャップが取着されていることを特徴とする請求項１記載の液吐出容器。
【請求項４】
操作筒部の頂壁に、吐出孔を貫通させたノズル支持筒を立設し、該ノズル支持筒の外周に、上端に吐出孔を密閉する栓体を設けたヒンジ式のノズルキャップを取着したノズル筒を取着したことを特徴とする請求項１または２記載の液吐出容器。
【請求項５】
ノズル支持筒の外周にねじを螺設し、ノズル筒の内周にねじを螺設し、ノズル筒をノズル支持筒に螺着したことを特徴とする請求項４記載の液吐出容器。
【請求項６】
吐出ヘッドを取着したキャップで被嵌された液吐出容器であって、
吐出ヘッドは、吐出量を規制する操作筒部と、該操作筒部の頂壁に立設され内部に流通孔を貫通したノズル支持筒と、該ノズル支持筒に螺合され一定の範囲にわたって上下動可能とした吐出ノズルとを具備していることを特徴とする液吐出容器。
【請求項７】
ノズル支持筒が、上端に膨出環を突設した案内筒部とその上方に設けられたねじ部とを有しており、
吐出ノズルは、内周下端に膨出環を設けた拡径部とねじ部とを有するノズル筒と、中央に栓体を垂下させ、その周りに吐出口を穿設した隔壁とを具備していることを特徴とする請求項６記載の液吐出容器。
【請求項８】
操作筒部が、薄肉部と厚肉部とからなる側周壁を具備し、
厚肉部には、側周壁を切截する傾斜壁が設けられ、該傾斜壁に斜め上方向に突設されたノズル支持筒に吐出ノズルを取着したことを特徴とする請求項１記載の液吐出容器。
【請求項９】
操作筒部が、厚肉部と薄肉部とからなる側周壁と、中心を偏寄させた円形の厚肉の頂壁を有しており、前記頂壁に水平に延びる押ボタンの支持板を連設し、該支持板に接続部を介して薄肉部を押圧変形させる押ボタンを連設させたことを特徴とする請求項１〜８記載の液吐出容器。
【発明の詳細な説明】
【０００１】
【発明の属する技術分野】
本発明は、液吐出容器、とくに少量の内容液を定量吐出滴下させるようにした液吐出容器に関する。
【０００２】
【従来の技術】
容器口部にノズルを装着し、少量の内容液を吐出するようにした液吐出容器は、従来より知られており、その一例として、図２６に示されているような液吐出容器が提案されている。
【０００３】
図２６において、Ａｆは容器、Ｂｆは取付キャップ、Ｃｆは取付キャップＢｆに取着された薄肉の断面円形の操作筒部Ｃ１ｆと吐出ノズルＣ２ｆとからなる吐出ヘッド、Ｄｆは吐出ノズルＣ２ｆを被うノズルキャップである。
【０００４】
【発明が解決しようとする課題】
上記の液吐出容器は、内容液の吐出にあたって、液吐出容器を倒立させて、吐出ノズルＣ２ｆを下に向け、円筒形の操作筒部Ｃ１ｆを指先で摘んで押圧することによって、少量の内容液を吐出滴下させるようにしていた。
【０００５】
しかしながら、内容液の吐出量は、操作筒部Ｃ１ｆの押圧量によって規定されるものであるから、指先の操作により押圧の加減を調節し、常に必要とする吐出量を得ることが困難であるという問題点があった。
【０００６】
また、ノズルキャップが円筒形で小さいものであるので、取り外したときに転がって、見失うおそれがあるという問題があった。
【０００７】
また、仕様書を読まない人は、従来のスクイズ容器と同様に考え、胴部を押圧して多量の内容液を吐出させるという本来の目的である少量吐出と異なる誤った使用をするおそれもあった。
【０００８】
本発明は、上記の問題点を解決し、常に少量の内容液を一定量吐出滴下できるようにしたヒンジ式のノズルキャップで被蓋した吐出ノズルを取着した液吐出容器を提供することを目的とする。
【０００９】
【課題を解決するための手段】
本発明は、上記の課題を解決するため、液吐出容器として、操作筒部を一定の形状に押圧変形させ、一定量の内容液を吐出するようにしたことを特徴とする構成を採用する。
【００１０】
液吐出容器の実施態様として、吐出ヘッドを取着したキャップで被嵌された液吐出容器であって、吐出ヘッドが、操作筒部と吐出ノズルとからなり、操作筒部は、容易に変形可能な薄肉部と、該薄肉部を変形させる押ボタンとを具備しており、吐出ノズルは、操作筒部に連設されたノズル支持筒に取着され、吐出口と該吐出口を開閉する密封部材を設けたヒンジ式ノズルキッャプとを具備していることを特徴とする構成を採用する。
【００１１】
吐出ヘッドの実施態様として、上記構成に付加してノズル支持筒が操作筒部の頂壁に立設され、吐出ノズルが、ノズル筒と、吐出口を設けた隔壁と、その上部に連設された吐出筒とを具備していることを特徴とする構成を採用する。
また吐出ヘッドの別実施態様として、操作筒部の頂壁に連設され、外周にねじを螺設したノズル支持筒と、該ノズル支持筒に取着される吐出ノズルとからなり、吐出ノズルは、吐出口を形成した頂壁と内周にねじを設けた側周壁を具えており、吐出ノズル側周壁にヒンジ式のノズルキャップが取着されていることを特徴とする構成を採用する。
【００１２】
吐出ノズルを取着するための実施態様として、操作筒部の頂壁に、吐出孔を貫通させたノズル支持筒を立設し、該ノズル支持筒の外周に、上端に吐出孔を密閉する栓体を設けたヒンジ式のノズルキャップを取着したノズル筒を取着したことを特徴とする構成、或いはノズル支持筒の外周にねじを螺設し、ノズル筒の内周にねじを螺設し、ノズル筒をノズル支持筒に螺着したことを特徴とする構成を採用する。
【００１３】
スライド式の吐出ノズルを有する液吐出容器として、吐出ヘッドを取着したキャップで被嵌された液吐出容器であって、吐出ヘッドは、吐出量を規制する操作筒部と、該操作筒部の頂壁に立設され内部に流通孔を貫通したノズル支持筒と、該ノズル支持筒に螺合され一定の範囲にわたって上下動可能とした吐出ノズルとを具備していることを特徴とする構成を採用し、さらに上記構成に付加して、ノズル支持筒が、上端に膨出環を突設した案内筒部とその上方に設けられたねじ部とを有しており、吐出ノズルは、内周下端に膨出環を設けた拡径部とねじ部とを有するノズル筒と、中央に栓体を垂下させ、その周りに吐出口を穿設した隔壁とを具備していることを特徴とする構成を採用する。
【００１４】
容器に対して斜め上方向に延びる吐出ノズルの実施態様として、操作筒部が、薄肉部と厚肉部とからなる側周壁を具備し、厚肉部には、側周壁を切裁する傾斜壁が設けられ、該傾斜壁に斜め上方向に突設されたノズル支持筒に吐出ノズルを取着したことを特徴とする構成を採用し、横方向に延びる吐出ノズルとして、操作筒部が、厚肉部と薄肉部とからなる側周壁と、中心を偏寄させた円形の厚肉の頂壁を有しており、吐出ノズルを側周壁の厚肉部に交差し、横方向に延びるよう連設したことを特徴とする構成を採用する。
【００１５】
押ボタンの変形実施態様として、操作筒部が、厚肉部と薄肉部とからなる側周壁と、中心を偏寄させた円形の厚肉の頂壁を有しており、前記頂壁に水平に延びる押ボタンの支持板を連設し、該支持板に接続部を介して薄肉部を押圧変形させる押ボタンを連設させたことを特徴とする構成を採用する。
【００１６】
【発明の実施の形態】
次に、本発明の第１実施形態について、図面を参照して説明する。
図１において、Ａは硬質の合成樹脂、ガラス等で成形されたスクイズ不可能な容器で、内容液として薬用液、化粧液等が収容される。
Ｂは、容器の口部に取着され上部に吐出ヘッドＣを立設した取付キャップで、合成樹脂によって成形されている。
【００１７】
容器Ａは、口部１と肩部２、断面円形又は楕円形の胴部３と底部４とからなっており、口部１の外周には、ねじ５が螺設されている。
【００１８】
図１〜３に示すように、取付キャップＢは、側周壁６と環状の上壁７とを具えており、側周壁６の内周には、容器Ａの口部１に螺合するねじ８が螺設されている。
上壁７の内周端縁からは、口部１内周に嵌合し、容器Ａを密閉する密閉リング９が垂設されており、上壁７下面と口部１上面との間は、パッキンまたは必要な締め代を形成させることによって、密閉リング９とともに容器Ａを気密に密封するようにしている。
上壁７の内周端縁から上方に延びるよう吐出ヘッドＣが連設されている。
【００１９】
吐出ヘッドＣは、操作筒部１０と該操作筒部１０上に立設されたノズル支持筒１１、およびヒンジ式のノズルキャップ１２を取着した吐出ノズル１３とを具えている。
【００２０】
図４に示すように、操作筒部１０は、側周壁１４と頂壁１５とからなり、側周壁１４は半円形の厚肉部１６と該厚肉部１６に連続して続く半円の薄肉部１７とを具えている。
頂壁１５は、厚肉部１６に続く半円１５ａと、該半円１５ａの径を弧の長さとし、半円１５ａの半径よりやや短い長さを弧の高さとする半円に近い弓形部１５ｂとからなっており、半円１５ａの中心には、流通孔１８が穿設されている。
【００２１】
薄肉部１７の端縁は、弓形部１５ｂの端縁に接続しており、該端縁と薄肉部１７との接続部分は下方部より傾斜した薄肉の接続部１９となっている。
接続部１９の下方の薄肉部１７外周には、上面を四角形状とした押ボタン２０が設けられており、その下面と薄肉部１７との間には、所定の厚さをもつ三角形状の縦リブ２１が設けられている。
【００２２】
図４に示すように、ノズル支持筒１１は、頂壁１５の上面に立設され、操作筒部１０の軸心を中心に弓形部１５ｂの弧の高さを半径とする外周面を有する筒壁２２を具え、その内周の中間部には、膨出環２３が突設されている。
筒壁２２の上端には、厚肉部１６側に吐出ノズル１３を位置決めするための位置決め凹部２４が設けられている。
【００２３】
図３，５に示すように、吐出ノズル１３は、前記筒壁２２に嵌挿され、内部に前記流通孔１８に連通するノズル孔２５を穿設したノズル筒２６を具えている。
ノズル筒２６の下端は、ノズル支持筒１１の頂壁１５の上面に接合するようにされ、ノズル筒２６の下方の所定位置には、前記筒壁２２の膨出環２３の下面に係合する膨出環２７が突設され、上下動しないように位置決めされている。
【００２４】
ノズル筒２６の上方外周には、ノズル支持筒１１の上端に接合するフランジ２８が設けられ、一定の部分はさらに外方に延長されて、ヒンジ式のノズルキャップ１２のための支持板２９を形成するようにしている。
ノズル筒２６上方の支持板２９の反対側のフランジ２８の下に、前記位置決め凹部２４に係合し、吐出ノズル１３を周方向に位置決めするための凸部３０が設けられている。
ノズル筒２６の上端部には、吐出口３１を穿設した隔壁３２が設けられ、隔壁３２の上方は、内部を流出孔３３とした吐出筒３４となっている。
吐出筒３４の外周には、膨出環３５が設けられている。
【００２５】
支持板２９の外端縁から垂直板３６が立設されており、その上端には、ノズルキャップ１２の蝶番３７を構成する下側の連結板３８が連設され、該連結板３８の一端には、前記ヒンジ式ノズルキャップ１２に連設された蝶番３７の上側の連結板３９が廻動自在に連設されている。
前記ノズルキャップ１２は、前記連結板３９を連接した頂壁４０と側周壁４１とを具えている。
【００２６】
頂壁４０の蝶番３７の反対側には、摘み４２が設けられており、頂壁４０下面の中央部には、吐出筒３４の流出孔３３に係合する密封リング４３が垂設されている。
側周壁４１の下端内周には、膨出環４４が設けられ、閉蓋時には、吐出筒３４外周に設けられた膨出環３５に係合し、密封リング４３とともに流出孔３３を密封する。
【００２７】
注出ヘッドＣの組立にあたっては、ノズルキャップ１２で密閉した吐出ノズル１３を打栓によりノズル支持筒１１内に嵌挿し、該吐出ヘッドＣを取着したキャップＢを容器Ａに被嵌することによって、液吐出容器が形成される。
【００２８】
次に、液吐出容器の使用態様とその作用効果について説明する。
内容液の吐出にあたって、図６に示すように、吐出ノズルのノズルキャップを開蓋し、容器Ａの肩部２と胴部３の上部周辺を手でつかんで吐出ノズル１３を所要の方向に向ける。
その際、ノズルキャップは、ヒンジ式で吐出ノズルに取着されているので外れることはなく、また、吐出口３１は細孔であり、容器自体は軟質でないので内容液は滴下しない。
【００２９】
次いで押ボタン２０を指先で押圧すると、一定量の内容液が吐出される。
その際、図７に示すように、押ボタン２０の上方の薄肉部１７の傾斜した接続部１９は、頂壁１５との接続端縁１９ａを支軸として廻動し、縦リブ２１の下端２１ａから上壁７にいたる薄肉部１７は、上壁７との接続部７ａを支軸として廻動される。
【００３０】
押ボタン２０と縦リブ２１の部分は、一体となって押し込まれるが、その押込量および傾斜度は、上方の接続部１９を縦リブ２１下方の薄肉部１７の廻動によって規制され、薄肉部１７全体は、一定の形状に変形される。
したがって、押ボタン２０を最終まで押し込むと、押ボタン２０による容器中心方向への押圧量はほぼ一定となる。
【００３１】
そして、薄肉部１７は、図７（ｂ）に示すように、その中央部が凹んで湾曲し、操作筒部１０内の容量が少なくなるが、中央部の湾曲変形は常に一定であるので、常に定量の内容液が吐出されることになる。
その吐出量は、薄肉部１７の縦断面の上下間の形状を変更することによって、適宜設定することができる。
【００３２】
次に、第２実施形態について、図面を参照して説明する。
前記第１実施形態では、吐出ノズルをノズル支持筒内に打栓により嵌挿するようにしたが、本実施形態は、吐出ノズルをノズル支持筒外周に螺着するようにしたもので、容器Ａ、取付キャップＢは前実施形態と同一の構成であるので、同一の名称と符号を使用して図示し、説明を省略する。
以下、吐出ヘッドについてのみ説明する。
【００３３】
図８において、Ｃａは吐出ヘッドで、操作筒部５０と該操作筒部５０の上面に立設されたノズル支持筒５１および上部にヒンジ式のノズルキャップ５２を取着した吐出ノズル５３を具えている。
【００３４】
図９に示すように、操作筒部５０は、側周壁５４と環状の上壁５５とからなり、側周壁５４は半円形の厚肉部５６と該厚肉部５６に連続して続く半円の薄肉部５７とを具えている。
上壁５５は、容器Ａの軸心を中心とする円形で、側周壁５４の上端縁よりフランジ状に広がるように形成され、上壁５５と側周壁５４との接続部は、厚肉部５６に続く半円５５ａの端縁と、該半円５５ａの径を弧の長さとし、半円５５ａの半径よりやや短い長さを弧の高さとする半円に近い弓形部５５ｂの端縁とからなっている。
【００３５】
薄肉部５７の上端は、弓形部５５ｂの端縁に接続し、薄肉部５７の接続部分は下方部より傾斜した薄肉の接続部５８となっている。
接続部５８の下方の薄肉部５７外周には、図９に示すように、上面を四角形状とした押ボタン５９が設けられており、その下面と薄肉部５７との間には、所定の厚さをもつ三角形状の縦リブ６０が設けられている。
【００３６】
前記環状の上壁５５の内周は、前記弓形部５５ｂの弧の高さを半径としており、上壁５５の内周縁から上方に延びるようノズル支持筒５１が連設され、外周にはねじ６１が螺設されている。
【００３７】
図１０に示すように、吐出ノズル５３は、側周壁６２と環状の上壁６３とを具え、該上壁６３の内周縁に沿って、吐出筒６４が立設されている。
吐出筒６４の中間には、隔壁６５が設けられ、中央に吐出口６６が穿孔されている。
【００３８】
隔壁６５上方の内周は、流出孔６７となっており、吐出筒６４の外周には、膨出環６８が突出されている。
上壁６３の下面から密封リング６９が垂設され、ノズル支持筒５１の内周に係合して、ノズル支持筒５１と操作筒部５０の内部とを密封するようにしている。
上壁６３の押ボタン５９のある側には、二つの連結片７０ａ，ｂと押圧板７１とからなる三点ヒンジの蝶番機構を介してノズルキャップ５２が取着されている。
【００３９】
ノズルキャップ５２は、頂壁７２と側周壁７３とからなり、頂壁７２の中央部には、吐出筒６４の内側に係合する密封リング７４が垂設され、その外側には、係止筒７５が垂設されている。
係止筒７５の下端内側には、前記吐出筒６４の膨出環６８の下側に係合する膨出環７６が設けられ、密封リング７４の係合を強め、流出孔６７を密封するようにしている。
側周壁７３の連結片７０ａ，ｂの反対側には、凹み７７が設けられており、指先をかけることによってノズルキャップ５２の開閉を容易にするようにしている。
【００４０】
容器Ａの組立にあたって、吐出ノズル５３をねじ込んでいくと、ノズル支持筒５１の上端に上壁６３が接するまで廻動され、その時点で、連結片７０ａ，ｂが押ボタン５９の側にくるように位置決めされる。
【００４１】
本実施形態液吐出容器の使用態様と作用効果は、前記第１実施形態とほぼ同様に、図１１に示すように、押ボタン５９を最終まで押込んだときには、薄肉部５７の縦断面の形状は、上壁５５との接続部５５ｃと上壁７との接続部７ａとの間の長さに規制され、一定の形状に変形される。
したがって、一定量の内容液が吐出されるのである。
さらに、吐出ノズル５３をノズル支持筒５１に螺着するだけで簡単に組立ができるという格別の効果を得ることができる。
【００４２】
次に、第３実施形態について、図面を参照して説明する。
本実施形態は、第１実施形態の吐出ヘッドにおいて、操作筒部の上部にノズル支持筒を立設し、ノズル支持筒の外周に、上端にヒンジ式のノズルキャップを取着した吐出ノズルを嵌合したものである。
容器Ａ、キャップＢは、前記各実施形態と同一の構成であるので、同一の名称と符号を用い、図示して説明を省略し、吐出ヘッドＣｂについてのみ説明する。
【００４３】
図１２において、Ｃｂは吐出ヘッドであって、操作筒部８０とその上部に立設したノズル支持筒８１と、上端にヒンジ式のノズルキャップ８２を取着した吐出ノズル８３とを具えている。
操作筒部８０は、図１２に示すように、半円の厚肉部８４と、半円の薄肉部８５とからなる側周壁８６と、容器の軸心から偏寄した厚肉の頂壁８７とを具えている。
薄肉部８５の上部は、薄肉の傾斜壁８８となって頂壁８７の端縁と接続しており、薄肉部８５の中央部には、傾斜壁８８の下端に続いて前記各実施形態と同形状の押ボタン８９と縦リブ９０とが設けられている。
【００４４】
ノズル支持筒８１は、偏寄した頂壁８７の中央に立設され、内部に吐出孔９２を穿孔し、外周下方部に膨出環９３を突設している。
【００４５】
図１３に示すように、吐出ノズル８３は、ノズル筒９４と、該ノズル筒９４に取着されたノズルキャップ８２とからなっている。
ノズル筒９４の内周には、ノズル支持筒８１の外周に嵌挿される摺動孔９５と下部拡径部９６とを具え、下端内周にノズル支持筒８１の膨出環９３の下側に係合する膨出環９７を突設している。
【００４６】
ノズル筒９４の頂壁９８には、その中央部に、ノズル支持筒８１の吐出孔９２に続く吐出口９９が穿設され、上面には、開口１００を設けた吐出筒１０１が立設されている。
頂壁９８の外周の所定の位置には、ノズルキャップ８２との蝶番１０２を構成する下側の連結板１０３が連設され、連結板１０３の端縁には、ノズルキャップ８２に連設された蝶番１０２の上側の連結板１０４が廻動自在に連設されている。
【００４７】
ノズルキャップ８２は、頂壁１０５と側周壁１０６とを具えており、頂壁１０５中央には、吐出筒１０１を密封する栓体１０７が突設されている。
側周壁１０６の端縁外周の蝶番１０２の反対側には、摘み片１０８が設けられている。
【００４８】
吐出ノズル８３は、打栓によりノズル支持筒８１に嵌着され、その際、蝶番１０２が、押ボタン８９の上方に位置するよう位置決めされ、吐出ノズル８３の膨出環９７が、ノズル支持筒８１の膨出環９３の下側に係合し、頂壁９８が、ノズル支持筒８１の上端に接合するよう上下位置が位置決めされて嵌着される。
本実施形態の使用態様と作用効果は、前記第１実施形態のそれとほぼ同様である。
【００４９】
上記第３実施形態として、吐出ノズル８３を打栓により嵌着するようにしたが、図１４に示すように、ノズル支持筒８１の外周にねじ１０９を螺設し、吐出ノズル８３の内周に前記ねじ１０９に螺合するねじ１１０を螺設して、ノズル支持筒８１と吐出ノズル８３をねじ結合によって嵌着するようにしてもよい。
【００５０】
次に、第４実施形態について、図面を参照して説明する。
本実施形態は、前記第３実施形態の吐出ヘッドを変更し、吐出ノズルをスライド可能としたもので、容器Ａ、取付キャップＢは、同一の構成であるので、同一の名称と符号をもって図示し、説明を省略する。
【００５１】
図１５において、Ｃｃは、取付キャップＢに立設された吐出ヘッドであり、操作筒部１２０とその上に立設されたノズル支持筒１２１、および該ノズル支持筒１２１に上下動可能に取着された吐出ノズル１２２とからなっている。
操作筒部１２０は、半円の厚肉部１２３と、半円の薄肉部１２４とからなる側周壁１２５と、容器の軸心から偏寄した厚肉の頂壁１２６とを具えている。
薄肉部１２４の上部は、傾斜壁１２７となって頂壁１２６の端縁と接続しており、薄肉部１２４の中央部には、傾斜壁１２７の下端に続いて前記各実施形態と同形状の押ボタン１２８と縦リブ１２９とが設けられている。
【００５２】
図１６に示すように、ノズル支持筒１２１は、頂壁１２６に立設され、内部を流通孔１３０とした筒体で、その下方部は、吐出ノズル１２２の案内筒部１３１となっており、その外周の上端には、膨出環１３２が設けられている。
該膨出環１３２の上方には、ねじ１３３が螺設されており、ねじ１３３の上方は、ねじ底と同径の縮径部１３４となっている。
【００５３】
図１７に示すように、吐出ノズル１２２は、上端近くに隔壁１３５を設けたノズル筒１３６を具えており、隔壁１３５の中央には、ノズル支持筒１２１の流通孔１３０を密閉する栓体１３７が垂設されている。
栓体１３７の外側には、複数の吐出口１３８が設けられている。
【００５４】
ノズル筒１３６の隔壁１３５の上方は、開口１３９となっており、ノズル筒１３６の隔壁１３５の下方内周には、ノズル支持筒１２１の縮径部１３４に係合摺動する嵌挿孔１４０が穿設されている。
嵌挿孔１４０の下方部分には、ノズル支持筒１２１のねじ１３３に螺合するねじ１４１が螺設されている。
ねじ１４１の下方内周は、ノズル支持筒１２１の膨出環１３２と同径の拡径部１４２となっており、その下端内周には、ノズル支持筒１２１外周に摺接する膨出環１４３が設けられている。
【００５５】
吐出ノズル１２２のノズル支持筒１２１に対する嵌着方法について説明すると、吐出ノズル１２２を挿入し、下端の膨出環１４３とノズル支持筒１２１の膨出環１３２を乗り越えさせ、ねじ１３３の上端とねじ１４１下端部を接合させる。
次に、吐出ノズル１２２を廻動させ、ねじ１３３，１４１の螺合によって隔壁１３５がノズル支持筒１２１の上端に衝接し、ノズル支持筒１２１の下端が操作筒部１２０の頂壁１２６近くまで下降する。
その際、栓体１３７によって流通孔１３０は密閉される。
【００５６】
次に本実施形態液吐出容器の使用態様と作用効果について説明する。
内容液の吐出にあたって、吐出ノズル１２２を所要の方向に向け、吐出ノズル１２２のノズル筒１３６を廻動させると流通孔１３０が開かれ、流通孔１３０から吐出口１３８にいたる液流路が形成される。
次いで、押ボタン１２８を押圧すると、操作筒部１２０の薄肉部１２４は、図１８に示すように、変形し前記各実施形態と同様に一定量の内容液を吐出することができる。
【００５７】
次に、第５実施形態について、図面を参照して説明する。
本実施形態は、ノズル支持筒を操作筒部に対して斜め上方向に突設するようにしたものである。
容器Ａ、取付キャップＢは、前記第１実施形態と同じ構成であるので、同一の名称と符号をもって図示し、説明を省略して、吐出ヘッドについてのみ以下説明する。
【００５８】
図１９において、Ｃｄは吐出ヘッドであり、操作筒部１５０と、該操作筒部１５０に対して斜め上方向に連設されたノズル支持筒１５１と、上端にヒンジ式のノズルキャップ１５２を取着した吐出ノズル１５３とを具えている。
【００５９】
図１９，２０に示すように、操作筒部１５０のノズル支持筒１５１側の半円は厚肉部１５４となっており、反対側の半円は、厚肉部１５４に連続する薄肉部１５５となっている。
厚肉部１５４の上方は、操作筒部１５０を斜め方向に切截する吐出ノズル取付のための傾斜壁１５６となっており、その中心には開口１５７が穿孔されている。
【００６０】
薄肉部１５５の上方には、縦断面を三角形状とし、上面を四角形とした押ボタン１５８が設けられており、その下面と薄肉部１５５との間には、所定の厚さをもつ三角形状の縦リブ１５９が設けられている。
押ボタン１５８上方と傾斜壁１５６との間は、薄肉の接続部１６０となっており、押ボタン１５８の操作時に押ボタン１５８が廻動するための支軸を形成するようになっている。
【００６１】
前記ノズル支持筒１５１は、前記傾斜壁１５６の中心と同軸として、傾斜壁１５６の周辺に沿って立設されており、その内周中間部には、膨出環１６１が突設されている。
ノズル支持筒１５１の上端の所定の位置には、位置決め用の凹部１６２が設けられている。
【００６２】
図２０に示すように、吐出ノズル１５３は、前記ノズル支持筒１５１に嵌挿され、内部に前記開口１５７に連通するノズル孔１６３を穿設したノズル筒１６４を具えている。
ノズル筒１６４の下端は、傾斜壁１５６の上面に接合するようにされ、ノズル筒１６４の下方の所定位置には、前記ノズル支持筒１５１の膨出環１６１の下面に係合する膨出環１６５が突設され、上下動しないように位置決めされている。
【００６３】
図２１に示すように、ノズル筒１６４の上方外周には、ノズル支持筒１５１の上端に接合するフランジ１６６が設けられ、一定の部分はさらに外方に延長されて、ノズルキャップ１５２のための支持板１６７を形成するようにしている。
支持板１６７の反対側のフランジ１６６の下側には、ノズル筒１６４外周面から前記位置決め凹部１６２に係合し、吐出ノズル１５３を周方向に位置決めする凸部１６８が設けられている。
ノズル筒１６４の上端部には、吐出口１６９を穿設した隔壁１７０が設けられ、隔壁１７０の上方は、内部を流出孔１７１とした吐出筒１７２となっている。
吐出筒１７２の外周には、膨出環１７３が設けられている。
【００６４】
前記支持板１６７の外端縁から垂直板１７４が立設されており、その上端には、ノズルキャップ１５２の蝶番１７５を構成する下側の連結板１７６が連設され、該連結板１７６の一端には、前記ノズルキャップ１５２に連設された蝶番１７５の上側の連結板１７７が廻動自在に連設されている。
支持板１６７には、垂直板１７４の外周からスリット１７８が設けられている。
【００６５】
前記ノズルキャップ１５２は、前記連結板１７７を連接した頂壁１７９と側周壁１８０とからなっている。
頂壁１７９の蝶番１７５の反対側には、摘み１８１が設けられており、頂壁１７９下面の中央部には、吐出筒１７２の流出孔１７１に係合する密封リング１８２が垂設されている。
頂壁１７９の蝶番１７５側の上面には前記スリット１７８に係合する突起１８３が立設されており、開蓋時にノズルキャップ１５２が妄動しないようにしている。
【００６６】
側周壁１８０の下端内周には、膨出環１８４が設けられ、閉蓋時には、吐出筒１７２外周に設けられた膨出環１７３に係合し、密封リング１８２とともに流出孔１７１を密封する。
【００６７】
注出ヘッドＣｄの組立にあたっては、ノズルキャップ１５２で密閉した吐出ノズル１５３を打栓によってノズル支持筒１５１内に嵌挿し、該吐出ヘッドＣｄを取着したキャップＢと容器Ａに被嵌することによって、液吐出容器が形成される。
【００６８】
次に、液吐出容器の使用態様とその作用効果について説明する。
内容液の吐出にあたって、図２２に示すように、吐出ノズルのノズルキャップを開蓋し、容器Ａの肩部２と胴部３の上部周辺を手でつかんで吐出ノズル１５３を所要の方向に向ける。
次いで押ボタン１５８を指先で押圧すると、一定量の内容液が吐出される。
【００６９】
その際、図２２に示すように、ノズルキャップ１５２を開蓋時には、頂壁１７９上面の突起１８３が、支持板１６７のスリット１７８に係合し、ノズルキャップ１５２は妄動しないので押しボタンの操作に支障をきたさない。
【００７０】
押ボタン１５８の押圧時には、押ボタン１５８と縦リブ１５９は、その上方の薄肉の接続部１６０を支軸として廻動され、薄肉部１５５の中央を押圧することになるが、薄肉の接続部１６０から押ボタン１５８と縦リブ１５９の部分は、一体となって廻動し、縦リブ１５９の下端１５９ａから上壁７の接続部７ａにいたる薄肉部１５５の長さは一定であるので、押ボタン１５８を最終まで押し込むと、押ボタン１５８による容器中心方向への押圧量は一定となる。
薄肉部１５５は、その中央部が凹んで湾曲し、操作筒部１５０内の容量が少なくなるが、中央部の変形は常に一定であるので、常に一定量の内容液が吐出されることになる。
【００７１】
上記第５実施形態では、吐出ノズルを斜め上方に延びるようにしたが、図２３に示すように、吐出ノズルを横方向に延びるようにしてもよい。
その際には、操作筒部１５０ａの上面に中心が偏寄した厚肉の頂壁１５０ｂを設け、操作筒部１５０ａの上方に厚肉部１５４ａに交差するようノズル支持筒１５１ａを連設し、該ノズル支持筒１５１ａにノズルキャップ１５２ａを取着した吐出ノズル１５３ａを嵌着する。
【００７２】
操作筒部１５０ａの薄肉部１５５ａの上方には、前記実施形態と同形状の押ボタン１５８ａと縦リブ１５９ａを設け、頂壁１５０ｂと押ボタン１５８ａとの間に薄肉の接続部１６０ａを形成させ、押ボタン１５８ａの操作時に押ボタン１５８ａが廻動するための支軸を形成するようにする。
使用時には、前記第５実施形態のそれと同様の作用効果を得ることができる。
【００７３】
次に、押ボタンの形状を変更した第６実施形態について説明する。
前記各実施形態では、押ボタンを操作筒部の薄肉部に配設するようにしているが、本実施形態は、操作筒部の上端部に厚肉の押ボタン用支持板を設け、該支持板に薄肉の連結部を介して三角形の押圧用の縦リブを下面に設けた押ボタンを連接するようにしたものである。
容器Ａ、取付キャップＢ、吐出ヘッドＣの吐出ノズルを嵌着したノズル支持筒の構成は前記第１実施形態と同一であるので、同一の名称、符号を用いて図示し、説明を省略し、以下吐出ヘッドの操作筒部についてのみ説明する。
【００７４】
図２４において、Ｃｅは吐出ヘッドであり、操作筒部１９０とノズル支持筒１９１と、第１実施形態と同一のノズルキャップ１２を取着した吐出ノズル１３からなっている。
操作筒部１９０は、半円の厚肉部１９２と該厚肉部１９２に連続する半円の薄肉部１９３とを具えた側周壁１９４と、厚肉の頂壁１９５とからなっている。
【００７５】
頂壁１９５の薄肉部１９３側には、一定の長さを有し、縦断面をほぼ三角形とした支持板１９６が連設されており、支持板１９６の一端から斜め方向に薄肉の接続部１９７を介して押ボタン１９８が斜め方向に連設されている。
押ボタン１９８の下面には、一定の厚さの三角形状の縦リブ１９９が設けられ、その一辺は垂直に垂下するようになっており、押ボタン１９８は接続部１９７を支軸として廻動するように形成されている。
【００７６】
押ボタン１９８の押圧にあたって、図２５に示すように、縦リブ１９９の頂点２００が薄肉部１９３を押圧するが、薄肉部１９３の縦断部の長さは、支持板１９６の下端１９６ａと上壁７の接続部７ａとの間の長さに規制され、薄肉部１９３の変形は規制される。
そして、前記各実施形態と同様に少量の一定量の内容液を吐出することができる。
【００７７】
【発明の効果】
本発明は、上記のように構成されているから、次の効果を奏する。
取付キャップに立設した吐出ヘッドの所定位置に薄肉の変形可能部を設け、変形可能部に対応する位置に押ボタンを設け、押ボタンを押し込んだときに変形可能部を常に一定の形状に変形させるようにしているので、一定量の内容物を少量吐出滴下させることができる。
また、押ボタンを一本の指で押すことができるから、容器をしっかりと保持することができる。
【００７８】
さらに、注出ヘッドに、操作筒部とノズル支持筒および吐出筒を密封する密封リングを設けたヒンジ式のノズルキャップを取着したノズル支持筒を具備させたことにより、ヒンジ式ノズルキャップを開蓋して、操作筒部を操作することができ、ノズルキャップを取り外すことがないので、見失うことはなくなった。
【図面の簡単な説明】
【図１】本発明の第１実施形態の液吐出容器の一部断面正面図である。
【図２】同液吐出容器の上面図である。
【図３】吐出ヘッドを立設した取付キャップの断面正面図である。
【図４】吐出ノズルを取り外した吐出ヘッドの説明図で、（ａ）は断面図、（ｂ）は上面図である。
【図５】吐出ノズルの説明図で、ノズルキャップを１８０゜廻動し、開蓋した状態を示す、（ａ）は断面図、（ｂ）は上面図、（ｃ）は底面図である。
【図６】液吐出容器の使用時の説明図である。
【図７】吐出ヘッド操作筒部の変形状態を説明する図で、（ａ）は縦断面図、（ｂ）は（ａ）のＡ−Ａ線における操作筒部の断面図である。
【図８】  第２実施形態の液吐出容器の説明図で、（ａ）は一部断面正面図、（ｂ）は上面図である。
【図９】  吐出ノズルを取り外した操作筒部の説明図で、（ａ）は断面正面図、（ｂ）は図（ａ）におけるＡ−Ａ線の断面図である。
【図１０】  吐出ノズルの説明図で、（ａ）はノズルキャップを１８０゜展開したときの断面図、（ｂ）は上面図、（ｃ）は底面図である。
【図１１】  吐出ヘッド操作筒部の変形状態を説明する図である。
【図１２】  第３実施形態の吐出ヘッドの説明図で、（ａ）は断面正面図、（ｂ）は上面図である。
【図１３】  吐出ノズルの説明図で、（ａ）は断面正面図、（ｂ）は上面図、（ｃ）は底面図である。
【図１４】  第３実施形態の別実施例の説明図である。
【図１５】  第４実施形態の液吐出容器の吐出ヘッドを立設した取付キャップの一部断面正面図である。
【図１６】  吐出ヘッド操作筒部の変形の説明図である。
【図１７】  吐出ノズルの説明図で、（ａ）は断面正面図、（ｂ）は上面図である。
【図１８】  吐出時の状態を説明する図である。
【図１９】  第５実施形態の液吐出容器の一部断面正面図である。
【図２０】  吐出ヘッドの分解説明図である。
【図２１】  吐出ノズルの説明図で、（ａ）はノズルキャップを１８０゜展開したときの断面図、（ｂ）は上面図、（ｃ）は底面図である。
【図２２】  操作筒部の変形状態を説明する図である。
【図２３】  第４実施形態の別実施例の説明図である。
【図２４】  第６実施形態の説明図で、（ａ）は吐出ヘッドの一部断面正面図、（ｂ）は上面図である。
【図２５】  操作筒部の変形状態の説明図で、（ａ）は断面正面図、（ｂ）は図（ａ）のＡ−Ａ線における断面図である。
【図２６】  従来例の液吐出容器の説明図である。
【符号の説明】
Ａ                                        容器
Ｂ                                        取付キャップ
Ｃ、Ｃａ、Ｃｂ、Ｃｃ、Ｃｄ、Ｃｅ、Ｃｆ    吐出ヘッド
１                                        口部
２                                        肩部
３                                        胴部
７                                        上壁
７ａ                                      接続部
１０、５０、８０、１２０、１５０、１５０ａ、１９０  操作筒部
１１、５１、８１、１２１、１５１、１５１ａ、１９１  ノズル支持筒
１２、５２、８２、１５２、１５２ａ                  ノズルキャップ
１３、５３、８３、１２２、１５３、１５３ａ          吐出ノズル
１４、５４、８６、１２５、１９４                    側周壁
１５、８７、１２６、１５０ｂ、１９５                頂壁
１５ａ、５５ａ、                                    半円
１５ｂ、５５ｂ                                      弓形部
１６、５６、８４、１２３、１５４、１５４ａ、１９２  厚肉部
１７、５７、８５、１２４、１５５、１５５ａ、１９３  薄肉部
１８                                                流通孔
１９、５８、１６０、１６０ａ、１９７                接続部
２０、５９、８９、１２８、１５８、１５８ａ、１９８  押ボタン
２１、６０、９０、１２９、１５９、１５９ａ、１９９  縦リブ
２２                                      筒壁
２５、１６３                              ノズル孔
２６、９４、１３６、１６４                ノズル筒
２８、１６６                              フランジ
２９                                      支持板
３１、６６、９９、１３８、１６９          吐出口
３２、６５、１３５、１７０                隔壁
３３、６７、１７１                        流出孔
３４、６４、１０１、１７２                吐出筒
３７、１０２、１７５                      蝶番
４０、７２、１０５、１７９                頂壁
４１、７３、１０６、１８０                側周壁
４２                                      摘み
４３、１８２                              密封リング
５５                                      上壁
５５ｃ                                    接続部
７４                                      密封リング
８８、１２７、１５６                      傾斜壁
９２、                                    吐出孔
１０７、１３７                            栓体
１３０                                    流通孔
１３１                                    案内筒部
１３９                                    開口
１４２                                    拡径部
１７８                                    スリット
１８３                                    突起
１９６                                    支持板
２００                                    頂点
【図１】
0003967053.tif 000002
【図２】
0003967053.tif 000003
【図３】
0003967053.tif 000004
【図４】
0003967053.tif 000005
【図５】
0003967053.tif 000006
【図６】
0003967053.tif 000007
【図７】
0003967053.tif 000008
【図８】
0003967053.tif 000009
【図９】
0003967053.tif 000010
【図１０】
0003967053.tif 000011
【図１１】
0003967053.tif 000012
【図１２】
0003967053.tif 000013
【図１３】
0003967053.tif 000014
【図１４】
0003967053.tif 000015
【図１５】
0003967053.tif 000016
【図１６】
0003967053.tif 000017
【図１７】
0003967053.tif 000018
【図１８】
0003967053.tif 000019
【図１９】
0003967053.tif 000020
【図２０】
0003967053.tif 000021
【図２１】
0003967053.tif 000022
【図２２】
0003967053.tif 000023
【図２３】
0003967053.tif 000024
【図２４】
0003967053.tif 000025
【図２５】
0003967053.tif 000026
【図２６】
0003967053.tif 000027